(57)【要約】【課題】植木やカラス等大型鳥類、落ち葉、小鳥等の小動物等により誤作動をすることのない侵入検知装置を提供する。【解決手段】フェンス４の上桟３に設置され、赤外線送信部１１と赤外線受信部１２とからなる赤外線検知ユニット１と、警報器５とからなる検知装置において、上記赤外線送信部１１とそれと対置される赤外線受信部１２との間の上桟３の上面に反射体２を設け、赤外線送信部１１からの直接光ａと、この直接光ａとともに照射される拡散光ｂ１が反射板２で反射された拡散反射光ｂ２とを上記赤外線受信部１２で検知することを特徴とする。【選択図】図４
2005202727.tif 000002
【特許請求の範囲】
【請求項１】
フェンスの上桟に設置され、赤外線送信部と赤外線受信部とからなる赤外線検知ユニットと、警報器とからなる検知装置において、上記赤外線送信部とそれと対置される赤外線受信部との間の上桟の上面に反射体を設け、赤外線送信部からの直接光と、この直接光とともに照射される拡散光が上記反射体で反射された拡散反射光とを上記赤外線受信部で検知することを特徴とする侵入検知装置。
【請求項２】
上記反射体が上桟の上面と一体化されたものである請求項１に記載の侵入検知装置。
【請求項３】
上記反射体が上桟の上面と別体とされたものである請求項１に記載の侵入検知装置。
【請求項４】
上記赤外線受信部の受信レンズが直接光を受信可能な限界角度まで下向きにされた請求項１に記載の侵入検知装置。
【発明の詳細な説明】
【技術分野】
【０００１】
本発明は侵入検知装置に関する。さらに詳しくは、赤外線発信源としてＬＥＤを用いるとともに、フェンス、門扉、塀等に付設され、不審者の侵入を検知し、警報発信を行うことのできる侵入検知装置に関する。
【背景技術】
【０００２】
近年、犯罪が多発する傾向にあるため、一般家庭においても防犯意識が向上し、種々の警報装置をフェンス、門扉、塀等に設けることが行われている。
【特許文献１】特開平３−１４４８９６号公報（第１−３頁、第１〜３図）
【特許文献２】特開昭６４−６４７８号公報（第１−４頁、第１〜３図）
【発明の開示】
【発明が解決しようとする課題】
【０００３】
上記警報装置の中で、ＬＥＤからの赤外線を用いて不審者を検知する方式においては、赤外線を送信する送信部と赤外線を受信する受信部とから構成され、不審者が赤外線を遮ると受信側が赤外線遮断を検知して警報を発し、家人への報知を行う。しかし、落ち葉、小鳥等の小動物が赤外線を遮った場合においても受信部が感知し、誤って警報を発することがある。
【０００４】
そこで、例えば、２個の赤外線発信装置を上下に設置し、下方の赤外線ビームが上記の原因により遮断されても、上方のビームは遮断されないように、また、逆に上方の赤外線ビームが遮断されても、下方の赤外線ビームが遮断されないように、改良が加えられている。しかし、そのためには、複数個のＬＥＤを用いなければならず、検知ユニットが大きくなり、また、コストも高くなるという問題がある。本発明はこのような問題を解決して、単一のＬＥＤからの赤外線を利用しながら、植木やカラス、落ち葉、小鳥等の小動物等による誤作動を防ぐことのできる侵入検知装置を提供することを、その課題とする。
【課題を解決するための手段】
【０００５】
本発明は、上記課題を解決するために、つぎのような技術的手段を講じている。すなわち、本発明によれば、フェンスの上桟に設置され、赤外線送信部と赤外線受信部とからなる赤外線検知ユニットと、警報器とからなる検知装置において、上記赤外線送信部とそれと対置される赤外線受信部との間の上桟の上面に反射体を設け、赤外線送信部からの直接光と、この直接光とともに照射される拡散光が上記反射体で反射された拡散反射光とを上記赤外線受信部で検知することを特徴とする侵入検知装置が提供される。
【０００６】
上記反射体を上桟の上面と一体化して用いてもよい。例えば、上桟の上面を鏡面塗装してもよく、めっきにより一体化してもよい。また、上記反射体が上桟の上面と別体とされたものを取付けてもよい。例えば、鏡面テープを貼り付けてもよく、鏡面板を固定してもよい。また、上記赤外線受信部の受信レンズを直接光を受信可能な限界角度まで下向きにすることが好ましい。
【発明の効果】
【０００７】
請求項１に記載の発明は上記のとおりであり、とくに、赤外線送信部からの直接光と、この直接光とともに照射される拡散光が上記反射体で反射された拡散反射光とを上記赤外線受信部で検知するため、複数個のＬＥＤを用いなくても、単一のＬＥＤを用いて、赤外線検知ユニットの誤作動を防ぐという効果が得られる。
【０００８】
上記反射体を上桟の上面と一体化して鏡面仕上げすることにより、拡散光を反射率よく反射することが可能となり、従来の直接光の直線軌道の検知エリアをそれより下方の拡散光の照射角度のエリアまで拡大することができるため、強風、積雪等のために植木が垂れ下がり、直接光を遮っても拡散反射光が受信され、受信部が赤外線遮断と判断することはなく、誤作動を防ぐことができる。また、上記反射体が上桟と別体とされたもの、例えば、鏡面テープを上面に貼り付けることにより、上記と同様な効果が得られる。
【０００９】
上記赤外線受信部の受信レンズを直接光を受信可能な限界角度まで下向きにすることにより、直接光を受信するとともに、下方からの光強度の弱い拡散反射光をも感度よく受信することができる。
【発明を実施するための最良の形態】
【００１０】
以下、本発明の好ましい実施の形態について、図面を参照して、さらに詳細に説明する。図１は、本発明にかかる侵入検知装置の概略構成を示す正面図である。図１からよくわかるように、ＬＥＤ（発光ダイオード）を用いた赤外線検知ユニット１の赤外線送信部１１と赤外線受信部１２とは、フェンス４の上桟３に一定間隔で対置され、その間の上桟３の上面には反射体２として鏡面テープが貼り付けられている。フェンス４は支持柱６によって支持され、上記赤外線受信部１２は後記する配線類７（図６参照）によって警報器５に接続されている。
【００１１】
図２は、赤外線送信部１１として用いたＬＥＤからの赤外線の光路を示す説明図であり、送信レンズ１１１からは、直接光ａと、一定の照射角度（図２におけるα）で拡散する拡散光ｂ１の２種類の赤外線が送信されることを示している。このとき、赤外線受信部１２の受信レンズ１２１は、上記直接光ａを受信可能な限界角度まで下方に向けて、直接光ａとともに上記反射体２で反射された拡散反射光ｂ２をもできるだけ感度よく受信できるようにされている。
【００１２】
図３は、不審者が検知エリアに侵入したときの、警報発信を説明する説明図である。図３において、不審者がフェンスをよじ登る過程で、直接光ａは頭部または体で遮られ、拡散光ｂ１、拡散反射光ｂ２も、手、腕、体等で遮られるため、赤外線受信部１２は赤外線遮断を検知する。その結果、赤外線受信部１２は不審者による赤外線遮断と判断し、警報機５を作動させ、音、光等の手段で家人に不審者侵入を報知する。
【００１３】
図４は、植木等、植栽が強風や積雪のために直接光ａを遮った場合を示す。このとき、赤外線受信部１２は直接光ａの遮断を検知するが、枝葉等の下方を通過した拡散光ｂ１は反射体２で反射されて拡散反射光ｂ２として赤外線受信部１２に受信される。このとき、拡散反射光ｂ２の光強度よりも僅かに低いレベルを警報発信の閾値として設定すれば、赤外線受信部１２は警報器５を作動させず、待機状態となる。その後、枝葉等が上桟２の上部から元の位置に戻る等して除かれると、赤外線受信部１２は直接光ａを受信して通常の状態となり、誤作動を防ぐことができる。
【００１４】
カラス等の比較的大きな鳥類が上桟３の反射体２上に止まった場合も図４と同様な状態となり、胴部が直接光ａを遮り、赤外線受信部１２は直接光ａの遮断を検知する。しかし、拡散光ｂ１、拡散反射光ｂ２は、カラスの脚部が細いため完全には遮断されず、赤外線受信部１２に受信される。その結果、赤外線受信部１２は警報器５を作動させず、待機状態となる。その後、カラスが飛び去ると赤外線受信部１２は直接光ａを受信して通常の状態となり、誤作動を防ぐことができる。
【００１５】
図５は、スズメ等の比較的小さな鳥類が上桟３の反射体２上に止まったときの警報発信を説明する説明図である。このとき、拡散光ｂ１および拡散反射光ｂ２はスズメにより遮断されるが、上方を通過する直接光ａは遮られることなく赤外線受信部１２に受信される。赤外線受信部１２は、直接光ａの光強度が警報発信の閾値よりもはるかに高いレベルであるため、警報器５を作動させず、誤作動を防ぐことができる。枯れ葉や落ち葉が反射体２上にとどまった場合も同様であり、警報器５は作動せず、誤作動を防ぐことができる。
【００１６】
図６は、赤外線検知ユニット１の赤外線受信部１２を示す部分斜視図であり、受信レンズ１２１は、直接光ａを受信可能な限り下向きにされ、反射体２で反射された光強度の弱い拡散反射光ｂ２をできるだけ感度よく受信できるように配置される。また、電源線、警報器発信回路、閾値設定回路等への通信線等の配線類７は支持柱６内を挿通され、屋外環境に長期間にわたって曝されても劣化しないように配慮されている。
【図面の簡単な説明】
【００１７】
【図１】本発明にかかる侵入検知装置の概略構成を示す正面図である。
【図２】ＬＥＤからの赤外線の光路を示す説明図である。
【図３】不審者が検知エリアに侵入したときの、警報発信を説明する説明図である。
【図４】直接光が遮断され拡散反射光が受信されたときの光路を示す説明図である。
【図５】拡散光、拡散反射光が遮断され直接光が受信されたときの光路を示す説明図である。
【図６】赤外線検知ユニットの赤外線受信部を示す部分斜視図である。
【符号の説明】
【００１８】
１          赤外線検知ユニット
１１        赤外線送信部
１１１      送信レンズ
１２        赤外線受信部
１２１      受信レンズ
２          反射体
３          上桟
４          フェンス
５          警報器
６          支持柱
７          配線類
ａ          直接光
ｂ１        拡散光
ｂ２        拡散反射光
【図１】
2005202727.tif 000003
【図２】
2005202727.tif 000004
【図３】
2005202727.tif 000005
【図４】
2005202727.tif 000006
【図５】
2005202727.tif 000007
【図６】
2005202727.tif 000008